【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
メディアコミュニティのメンバー間でコンテンツを共有する方法であって、
前記メディアコミュニティの第１のメンバーであって、第１の携帯型メディアプレーヤーに関連付けられている第１のメンバーのプロファイルを作成するステップと、
作成された前記第１のメンバーのプロファイルの少なくとも一部を含む第１のメディアカードを作成するステップであって、前記第１のメディアカードが、前記第１のメンバーの自称の識別を表し、および１つまたは複数のアクション可能な要素を含み、前記第２のメンバーに関連付けられた第２の携帯型メディアプレーヤーにより１または複数の前記アクション可能な要素にアクセスされると、前記アクション可能な要素が、前記メディアコミュニティの第２のメンバーによる前記第１のメンバーとの対話を可能にし、前記第２の携帯型メディアプレーヤーが、前記第２のメンバーのプロファイルのフレンドリストに前記第１のメディアカードへの参照を格納している、ステップと、
前記第１のメディアカードを前記第１の携帯型メディアプレーヤーのメモリー領域に埋め込むステップと、
前記第１の携帯型メディアプレーヤーと前記第２の携帯型メディアプレーヤーとの間の１または複数の論理ネットワーク接続を確立するステップと、
確立された前記論理ネットワーク接続を介して前記第２の携帯型メディアプレーヤーに、前記第２のメンバーのプロファイルにおいて参照される前記第１のメディアカードの前記アクション可能な要素を介する前記第１の携帯型メディアプレーヤーへのアクセスを提供するステップと、
前記第２の携帯型メディアプレーヤーにより１または複数の前記アクション可能な要素にアクセスされると、１または複数の前記対話を実行するステップであって、前記アクション可能な要素が、前記第２のメンバーから前記第１のメンバーに電子メールを送信すること、前記第２のメンバーから前記第１のメンバーにメディア推薦を送信すること、前記第２のメンバーから前記第１のメンバーにインスタントメッセージを送信すること、前記第２のメンバーが前記第１のメンバーに関連付けられるメディアファイルをレンダリングすること、前記第２のメンバーから前記第１のメンバーに関連する前記第１の携帯型メディアプレーヤーにメディアファイルを送信すること、および前記第１のメンバーの詳細なプロファイルを見ること、の１つまたは複数の対話を実行する、ステップと
を備えることを特徴とする方法。
【請求項２】
前記第１のメンバーのプロファイルにフレンドリストを作成するステップであって、前記フレンドリストが前記メディアコミュニティの他のメンバーに関連付けられる１つまたは複数のエントリーを含む、ステップをさらに備えることを特徴とする請求項１に記載の方法。
【請求項３】
前記第１のメンバーの前記フレンドリストの少なくとも１つのエントリーは、前記メディアコミュニティの前記第２のメンバーのプロファイルの少なくとも一部を識別する第２のメディアカードへの参照を備え、前記第２のメディアカードが、前記メディアコミュニティとの対話を可能にする少なくとも１つの前記アクション可能な要素を含むことを特徴とする請求項２に記載の方法。
【請求項４】
前記第２のメディアカードは、前記第２のメンバーに関連付けられる前記第２の携帯型メディアプレーヤーのメモリー領域に埋め込まれ、前記第２のメンバーのプロファイルが前記第２の携帯型メディアプレーヤーを介して修正されるのに応答して、前記第１のメンバーの前記フレンドリストの参照される前記第２のメディアカードを更新するステップをさらに備えることを特徴とする請求項３に記載の方法。
【請求項５】
前記第１のメンバーのプロファイルは、１つまたは複数のメディアファイルのリストを含み、
前記第１の携帯型メディアプレーヤーを介して、前記メディアコミュニティの前記第２のメンバーと共有する少なくとも１つのメディアファイルの選択を受け取るステップと、
前記第２のメンバーに関連付けられる前記第２の携帯型メディアプレーヤーが、前記選択に応答して選択された前記メディアファイルを前記第１の携帯型メディアプレーヤーから直接レンダリングすることを可能にするステップと
をさらに備えることを特徴とする請求項２に記載の方法。
【請求項６】
前記第１の携帯型メディアプレーヤーは、共有するメディアファイルの選択を受け取るドラッグ・アンド・ドロップ・インターフェースを有し、前記第１のメンバーが、前記メディアファイルを選択して前記第２のメンバーの前記フレンドリストのエントリーにドラッグする、または前記第１のメンバーが、前記第２のメンバーの前記フレンドリストのエントリーを選択して前記メディアファイルにドラッグすることを特徴とする請求項５に記載の方法。
【請求項７】
プレイリストを作成するステップであって、前記プレイリストが前記第１の携帯型メディアプレーヤーの前記メモリー領域に格納される１つまたは複数のメディアファイルを参照する、ステップと、
前記プレイリストを、前記第１のメンバーのプロファイルの前記第１のメディアカードの前記アクション可能な要素に関連付けるステップと、
前記第１のメディアカードへの参照を前記メディアコミュニティの前記第２のメンバーの前記第２の携帯型メディアプレーヤーに提供するステップであって、前記第２のメンバーが、第２の携帯型メディアプレーヤーに関連付けられ、提供される前記第１のメディアカードの前記アクション可能な要素が、前記第２のメンバーが、前記プレイリストにおいて参照される前記１つまたは複数のメディアファイルを前記第２の携帯型メディアプレーヤー上でレンダリングすることを可能にする、ステップと
をさらに備えることを特徴とする請求項１に記載の方法。
【請求項８】
前記第１のメンバーが前記第１の携帯型メディアプレーヤー上に格納されたプレイリストを修正するのに応答して、前記第２のメンバーに提供され、参照される前記第１のメディアカードの前記アクション可能な要素を更新するステップであって、更新された前記第１のメディアカードが、前記第２のメンバーが、修正された前記プレイリストにおいて参照される前記メディアファイルを前記第２の携帯型メディアプレーヤー上でレンダリングすることを可能にする、ステップをさらに備えることを特徴とする請求項７に記載の方法。
【請求項９】
前記第１のメディアカードへの参照を前記第２の携帯型メディアプレーヤーに提供するステップは、前記第１のメディアカードを、電子メールメッセージおよびウェブページの１つまたは複数に埋め込むステップを備えることを特徴とする請求項７に記載の方法。
【請求項１０】
前記プロファイルは、メンバーのタグ、画像、好みのメディアのジャンル、メディアモットー、メディアストリップ、メンバー識別子、最新プロファイル変更のタイムスタンプ、好みのメディアプレイリスト、最多再生トラックリスト、メディアの選好、メディア賞、個人のプレイリスト、互換性インジケーター、ファンリスト、賞のトロフィーケース、メディア消費の個人履歴、ピア（peer）履歴、ユーザーのメディア賞に基づくメンバーのメディアスコア、プレゼンスステータス、メンバーの心的状態、ユーザーの居場所、メンバーが出席したことがあるまたは出席予定のイベント、および第１のメディアカードに関連付けられる詳細なプロファイルが見られた回数のカウント、の１つまたは複数を含むことを特徴とする請求項１に記載の方法。
【請求項１１】
前記第１のメディアカードは、メンバーのタグ、画像、好みのメディアのジャンル、メディアモットー、メディアストリップ、およびメンバー識別子、の１つまたは複数を含むことを特徴とする請求項１に記載の方法。
【請求項１２】
前記メディアコミュニティのメンバー間の対話に関連付けられる、１つまたは複数のメディア賞を定義するステップと、
前記第１のメンバーの前記メディアコミュニティとの対話を、前記第１のメンバーのプロファイルに追跡記録するステップと、
追跡記録された対話の関数として、前記第１のメンバーにメディア賞を授与するステップであって、前記メディア賞が、前記第１のメンバーのプロファイルに関連付けられる、ステップと
をさらに備えることを特徴とする請求項１に記載の方法。
【請求項１３】
メディアコミュニティのメンバー間でコンテンツを共有するシステムであって、
メディアメンバーシップコンポーネントであって、
前記メディアコミュニティの第１のメンバーであって、第１の携帯型メディアプレーヤーに関連付けられる第１のメンバーのプロファイルを作成し、
作成された前記第１のメンバーのプロファイルの少なくとも一部を含む第１のメディアカードを作成することであって、前記第１のメディアカードが、前記第１のメンバーの自称の識別を表し、および１つまたは複数のアクション可能な要素を含み、前記第２のメンバーに関連付けられた第２の携帯型メディアプレーヤーにより１または複数の前記アクション可能な要素にアクセスされると、前記アクション可能な要素が、前記メディアコミュニティの第２のメンバーによる前記第１のメンバーとの対話を可能にし、前記第２の携帯型メディアプレーヤーが、前記第２のメンバーのプロファイルのフレンドリストに前記第１のメディアカードへの参照を格納している、第１のメディアカードを作成し、
前記第１のメディアカードを前記第１の携帯型メディアプレーヤーのメモリー領域に埋め込み、
前記第１の携帯型メディアプレーヤーと前記第２の携帯型メディアプレーヤーとの間の１または複数の論理ネットワーク接続を確立し、
確立された前記論理ネットワーク接続を介して前記第２の携帯型メディアプレーヤーに、前記第２のメンバーのプロファイルにおいて参照される前記第１のメディアカードの前記アクション可能な要素を介する前記第１の携帯型メディアプレーヤーへのアクセスを提供し、
前記第２の携帯型メディアプレーヤーにより１または複数の前記アクション可能な要素にアクセスされると、１または複数の前記対話を実行することであって、前記アクション可能な要素が、前記第２のメンバーから電子メールを受信すること、前記第２のメンバーからメディア推薦を受信すること、前記第２のメンバーからインスタントメッセージを受信すること、前記第２のメンバーが前記第１のメンバーに関連付けられるメディアファイルをレンダリングすること、前記第２の携帯型メディアプレーヤーから前記第１の携帯型メディアプレーヤーに送信されるメディアファイルを受信すること、および前記第２のメンバーが前記第１のメンバーの詳細なプロファイルを見ること、の１つまたは複数の対話を実行する、対話を実行する
コンポーネントと、
インターフェースコンポーネントであって、
前記プレイリストが前記第１の携帯型メディアプレーヤーの前記メモリー領域に格納される少なくとも１つのメディアファイルを参照するプレイリストを作成し、
前記プレイリストを、前記第１のメンバーのプロファイルの前記第１のメディアカードの前記アクション可能な要素に関連付け、
前記第１のメディアカードへの参照を、前記第２のメンバーの前記第２の携帯型メディアプレーヤーに提供することであって、提供された前記第１のメディアカードの前記アクション可能な要素は、前記第２のメンバーが前記プレイリストに参照されるメディアファイルを前記第２の携帯型メディアプレーヤー上で、前記第１の携帯型メディアプレーヤーから直接レンダリングすることを可能にする、メディアカードへの参照を提供する
コンポーネントと、
メディア賞コンポーネントであって、
前記メディアコミュニティ内の対話に関連付けられるメディア賞を定義し、
前記携帯型メディアプレーヤーを介して前記第１のメンバーの前記メディアコミュニティとの対話を追跡記録して、前記対話を前記第１のメンバーのプロファイルに記録し、
前記第１のメンバーの追跡記録された対話の関数として、前記メディア賞を前記第１のメンバーに授与し、
前記第１のメンバーに授与されたメディア賞を前記第１のメディアカードに関連付ける
コンポーネントと
を備えたことを特徴とするシステム。